(57)【要約】【課題】手軽な器具横造によってラインテープの巻き取りを敏速に且つ速やかに操作可能にすること。【解決手段】一本のパイプ中央部を８０ｍｍＲに曲げて形成しハンドルとする。ハンドル両先端に本体となるドラムを組み付け、更に巻き取りと同時に清掃を行う様に器具を取り付けて手押し車を押す時の様にして、ドラムを進行方向に向かって回転させながらラインテープを巻き取る仕組とする。【選択図】      図１
2005279233.tif 000002
【特許請求の範囲】
【請求項１】
本体であるドラムの形状を安全性と景観から考え円筒形にするためにも塩化ビニール性のキャップを利用してある。
内部構造は回転と強度を考慮して鉄性のシャフトとベアリングを使用して寿命を長く保つこととドラムとハンドルを分離可能に行うために脱着自在にさせてある。
【請求項２】
一本のパイプ中央部分から８０ｍｍＲに曲げることにより故障が無く強度が増して持ち運びに便利である。
【請求項３】
清掃器具の取り付けによってラインテープの粘着効力と保全に効果的である。
【発明の詳細な説明】
【技術分野】
【０００１】本考案は体育施設の床面に区画線を必要とするテニスコート、バレーボール、ミニバスケットボール、バスケットボール、バトミント等のラインテープの巻き取りに関する。
【背景技術】
【０００２】従来の張り付け作業は二人が一組になってラインテープの粘着面を床面に向けながら一人が先端部分を固定して、もう一人がラインテープを伸ばしながら張り付けていく方法。そして本件の巻き取り回収作業は、缶詰缶或は細長いパイプ等を利用しながら前方又は後方に向かって巻き取る方法がとられていた。
【発明の開示】
【発明が解決しようとする課題】
【０００３】本考案は巻き取り回収作業に対して余りにも長時間に渡るため、手軽るな装置で時間短縮と耐久性に富んだ器具を提供しようとするものである。【０００４】従来のラインテープ巻き取り回収作業は一人一本の割合で９箇所（９人）での巻き取り回収作業（図７参照）を缶詰缶或は細長いパイプに前進又は後退しながら行なったために長時間を要し、更には次回のラインテープを再利用する際には張り付ける場所とラインテープの９本の数、又各々長短の差があり二重の無駄な時間がかかり早急の対策が求められていた。
【課題を解決しようとする手段】
【０００５】本考案に係るラインテープ巻取り器具は一本の塩化ビニールパイプを中央部分から８０ｍｍＲにまげて形成されたハンドルと、塩化ビニール性のキャップ二箇を継ぎ合わせて円筒形のドラムが形成される、そのハンドルとドラムを組み合わせて巻き取り器具とする。再にハンドルの間に清掃器具を取り付け手押し車を押すときの様にして進行方向に向ってドラムを回転させながらラインテープを巻き取り回収する。又回収後は清掃器具を折り畳んで収納する。
【０００６】上記の０００４に述べた二重の無駄な時間に関しては図７で説明します。先づ最初に始点と終点を定め再に左廻りか右廻りか決めます。（張り付け手順）次に本件の巻き取り回収作業は張り付けの逆の方向に向って廻ります。いわゆる張り付けが左廻りの場合は符合のＡ、Ｂ、Ｃ、Ｄ、の順に張り付けて外側の部分が終わり、次に内側のラインテープ張り付けに関しては出来る限り無駄な歩数を少くするためにも符号のＥ、Ｆ、Ｇ、Ｈ、と廻り最後に符号Ｉで張り付けは終了します。次に使用後の回収巻き取り方法は符号Ｉから始まりＨ、Ｇ、Ｆ、Ｅ、で内側が終り、外側に対しては符号Ｄ、Ｃ、Ｂ、Ａ、となり常にラインテープの長さと場所が、同じ所に張られ時間短縮に貢献することになります。
【発明の効果】
【０００７】本考案請求項１に記載の巻き取り器具に関しては、手動巻取りの場合一度前掘姿勢になってラインテープを剥がし、次に体を起し中腰になって、手でパイプを回転させて巻き取っていた為に手首の疲れと、腰の痛みが重なり回収巻取りに無駄な時間を多く掛け過ぎていた。それがドラムとハンドルを組み合わせた巻き取り器具によって、手首の疲れ腰の痛み等が和らいで来たことと再にラインテープの剥がしとドラムの回転が同時に行なわれるので大幅な時間短縮を可能にすることが出来た。
【０００８】ドラムに関しては経費節減から出来るだけ市販されている安価な塩化ビニール性の材料を使用し、安全性と性能から最小限の桟械加工を施し寿命を長く保つことで経費節減が可能になった。
【０００９】本考案請求項２に記載の塩化ビニールパイプに関しては、第一回目の試作でのハンドルは上部に構え手持ち部分を作り、下端に左右二本の支柱パイプを設けたが長期間試作試験を行った結果接着部分が取れて歪が生じ、不安定になり巻き取りに不具合が生じた為に、第二回目の試作では一本のパイプを中央部分から８０ｍｍＲに曲げて試験した所、歪が出ず強度が増したことである。再に移動の際には曲げたことに依って肩に架ける時は安定感が有りずれが生じないし整理整頓には吊るすことが出来て場所を取らない。
【００１０】本考案請求項３に記載の清掃器具に関しては体育施設は多人数の方が使用している為にモップの汚れが酷く、埃、ゴミ、髪の毛等が散乱していて、気付かずにラインテープを張り付けると、粘着面に付着して粘着効力が衰える。それが故に独自の清掃器具の活用でラインテープの保全と節約が可能になった。
【発明を実施するための最良の形態】
【００１１】ドラムとハンドルの組合わせに依って巻き取りの苦痛が伴わずに行える様になったこと。
それに加えてハンドルを一本で形成したことで安定感が生まれ又巻き取りの順序の発見で時間短縮に貢献出来たことに尽きる。
【実施例１】
【００１２】初回に巻き取り器具によりラインテープを巻き取る場合は予めドラムに張り付ける準備として市販されている両面テープを必要箇所にだけ張り付けて置きます。その理由は床面に張り付けたラインテープは非粘着面が床面に対して上向きになっているのでこの状態でドラムに張り付かないからです。それ故に両面テープの使用することに依って自ずとラインテープが巻き取られるのである。
【実施例２】
【００１３】大会練習終了後の回収巻取り作業は図７と、０００６でも説明しておりますが先づ最初にＩは非粘着面を上に向いて床面に張り付けられているので、ラインテープの一端を指先で剥がし、非粘着面をドラム側に向けて粘着させ進行方向にドラムを回転させて符号説明のＩ，Ｈ，Ｇ，Ｆ，Ｅ，と巻き取り次に外側Ｄ，Ｃ，Ｂ，Ａと巻き取り終了となります。
【実施例３】
【００１４】
【表１】
2005279233.tif 000003
【図面の簡単な説明】
【００１５】
【図１】    巻き取り器の実施方法を示した説明図である
【図２】    ハンドルの曲げの実施方法を示した説明図である。
【図３】    巻き取り器全体の正面を示した説明図である
【図４】    巻き取り器全体の側面図を示した説明図である
【図５】    巻き取り器清掃器具収納を示した説明図である
【図６】    カバーの巻き付けの粘着面を示した説明図である
【図７】    コートのラインテープの位置を示した説明図である。
【符号説明】
【００１６】１        ドラム
２        シャフト
３        ベアリング
４        ベアリングホルダー
５        Ｔ字型ジョイント
６        ハンドル
７        ベアリングホルダー固定ネジ
８        継ぎジョイント
９        ジョイント固定ピン
１０      Ｔ字型ジョイント固定ピン
１１      シャフト固定ナット
１２      清掃用主軸
１３      清掃用受軸Ａ
１４      清掃用受軸Ｂ
１５      清掃用主軸固定用鎖
１６      モップ
１７      ラインテープ
１８      カバー
１９      カバー表粘着面
２０      カバーウラ粘着面
２１      モップ収納
Ａ        サイドライン                ２３．７７ｍ
Ｂ        ベースライン                １０．９７ｍ
Ｃ        サイドライン                ２３．７７ｍ
Ｄ        ベースライン                １０．９７ｍ
Ｅ        サービスサイドライン        １２．８ｍ
Ｆ        サービスライン              ８．２３ｍ
Ｇ        サービスサイドライン        １２．８ｍ
Ｈ        サービスライン              ８．２３ｍ
Ｉ        サービスセンターライン      １２．８ｍ
【図１】
2005279233.tif 000004
【図２】
2005279233.tif 000005
【図３】
2005279233.tif 000006
【図４】
2005279233.tif 000007
【図５】
2005279233.tif 000008
【図６】
2005279233.tif 000009
【図７】
2005279233.tif 000010